(57)【要約】【課題】  本発明は釣り靴等を収容する靴入れに係り、濡れた靴底を短時間で乾かすことができ、併せて靴を安定して収容することのできる靴入れを提供することを目的とする。【解決手段】  請求項１に係る靴入れは、容器本体の内部に、通水性を有する中底を当該容器本体の底部との間に間隙を空けて設けると共に、当該容器本体の底部と中底との間に、当該中底の中央部を支持し且つ容器本体の底部と中底との間隙を保持する支持部を設けたことを特徴とする。そして、請求項２に係る発明は、請求項１に記載の靴入れに於て、前記支持部は、中底に切り込みを入れ、これを容器本体の底部方向へ折り曲げて形成した突片であることを特徴とし、請求項３に係る発明は、請求項２に記載の靴入れに於て、容器本体の底部に中底の移動規制部材を設け、当該移動規制部材を、前記突片を設けた後に開口する中底の切欠きに挿通したことを特徴とする。【選択図】    図２
2007167359.tif 000002
【特許請求の範囲】
【請求項１】
容器本体の内部に、通水性を有する中底を当該容器本体の底部との間に間隙を空けて設けると共に、当該容器本体の底部と中底との間に、当該中底の中央部を支持し且つ容器本体の底部と中底との間隙を保持する支持部を設けたことを特徴とする靴入れ。
【請求項２】
前記支持部は、中底に切り込みを入れ、これを容器本体の底部方向へ折り曲げて形成した突片であることを特徴とする請求項１に記載の靴入れ。
【請求項３】
前記容器本体の底部に中底の移動規制部材を設け、当該移動規制部材を、前記突片を設けた後に開口する中底の切欠きに挿通したことを特徴とする請求項２に記載の靴入れ。
【発明の詳細な説明】
【技術分野】
【０００１】
本発明は、釣り用の靴等を収容する靴入れに関する。
【背景技術】
【０００２】
岩場や濡れている場所で足下が滑るのを防止するため、従来、多くの釣人は、滑りに強いフェルトを靴底に貼り付け、フェルト内にスパイクを埋め込んだ釣り靴を使用しているが、このような釣り靴を履いて釣りを終えた時、靴底は多量の水分を含んだ状態となっている。
このため、従来から、この濡れた釣り靴を収容する防水性の靴入れが使用されており、この靴入れを用いて濡れた釣り靴を他の荷物と接触しないようにしていた。
【０００３】
また、昨今では、このような靴入れに対し、濡れた釣り靴を収容し乍ら、一方で釣り靴を早く乾かしたいという機能が求められており、特許文献１には、容器の底部を網体或いは多数の孔を形成した透水性，通気性素材で形成して、容器の底に更に遮水性素材で形成した底蓋を着脱自在に取り付けた靴入れが開示されている。
而して、この靴入れによれば、釣り靴を網体の上に収容することで、靴底全体が空気に触れるため短時間で乾かすことができ、また、底蓋を取り付けることで、靴底に含まれた水が外部に滴り落ちることがなく、安心して濡れた釣り靴を携行することができることとなった。
【特許文献１】特開２００５−３２３７８１号公報
【発明の開示】
【発明が解決しようとする課題】
【０００４】
しかし乍ら、上述した靴入れは網体等の透水性，通気性素材で形成した容器の底部が強度的に弱く、長期に亘る使用でその中央側が釣り靴の重みで凹んでしまい、内部に収容した釣り靴を安定して置くことができなくなり、釣り靴が倒れ易くなるという欠点を有している。
本発明は斯かる実情に鑑み案出されたもので、濡れた靴の靴底を短時間で乾かすことができ、併せて靴を安定して収容しておくことのできる靴入れを提供することを目的とする。
【課題を解決するための手段】
【０００５】
斯かる目的を達成するため、請求項１に係る靴入れは、容器本体の内部に、通水性を有する中底を当該容器本体の底部との間に間隙を空けて設けると共に、当該容器本体の底部と中底との間に、当該中底の中央部を支持し且つ容器本体の底部と中底との間隙を保持する支持部を設けたことを特徴とする。
そして、請求項２に係る発明は、請求項１に記載の靴入れに於て、前記支持部は、中底に切り込みを入れ、これを容器本体の底部方向へ折り曲げて形成した突片であることを特徴とし、請求項３に係る発明は、請求項２に記載の靴入れに於て、容器本体の底部に中底の移動規制部材を設け、当該移動規制部材を、前記突片を設けた後に開口する中底の切欠きに挿通したことを特徴とする。
【発明の効果】
【０００６】
請求項１及び請求項２に係る発明によれば、中底に濡れた靴を収容すれば、支持部が中底と底部との間に間隙を確保し、而も、中底は通気性があるため、靴底全体が空気に触れて短時間で乾くこととなる。そして、このとき、支持部が靴の重みによる中底中央の凹みを防止するため、濡れた釣り靴等を靴入れに入れたまま乾かすことができると共に、長期に亘って使用しても靴の重みで中底中央が凹むことがなく、靴を安定して収容することが可能となった。
【０００７】
そして、請求項３に係る発明によれば、移動規制部材によって中底の移動が規制されるため、靴をより確実に安定して収容することが可能となる。
【発明を実施するための最良の形態】
【０００８】
以下、本発明の実施形態を図面に基づいて詳細に説明する。
図１乃至図３は請求項１乃至請求項３に係る靴入れの第一実施形態を示し、図に於て、１はエチレン酢酸ビニル，塩化ビニル等の合成樹脂シート３で形成された防水性を有する容器本体（靴入れ本体）で、容器本体１は底部５及び側面７，９，１１，１３を有するボックス状に形成されて内部を収納部とし、上部に収納口１５が開口している。
【０００９】
そして、後側面１１の上部外周に、容器本体１と同一材料で形成された蓋体１７が、合成樹脂シートからなるヒンジ部材１９を介して連結されており、蓋体１７の周縁部には、当該蓋体１７を収納口１５に被せた際（蓋体１７による収納口１５の閉鎖時）に、容器本体１の上部外周を覆うスカート部（側壁）２１が当該外周に沿って延設され、更に蓋体１７の上部中央に運搬用の帯状のハンドル２３が取り付けられている。
【００１０】
また、容器本体１の側面上部、即ち、前後側面７，１１と左右側面９，１３を構成する合成樹脂シート３の上部は、図３に示すように金属や合成樹脂で形成された平面視矩形状のフレーム２５で外側に折り返されて、夫々の折返し片２７は端部を除き各側面７，９，１１，１３の外側にウエルダ加工によって接合されている。
従って、収納口１５の周縁部は材料自体の特性によって可撓性，柔軟性を有すると共に、フレーム２５によって容器本体１の強度アップと収納口１５の形状保持が図られている。
【００１１】
そして、各折返し片２７の端部と、前記スカート部２１の端部との間にファスナ２９のテープ３１，３３が縫着されており、ファスナ２９の操作部３５を図２の如く前記ヒンジ部材１９まで移動させると、蓋体１７が開いて収納口１５が全開するようになっている。
更に、図２及び図３に於て、３７は合成樹脂等の板材で形成された通水性を有する網状（メッシュ状）の中底で、図示するように中底３７の周辺部には、夫々、容器本体１の底部５方向へ同一高さからなる突片３９，４１が折曲形成されており、当該各突片３９，４１が底部５に当接して中底３７と底部５との間に間隙Ｓが確保されるようになっている。
【００１２】
更にまた、中底３７の中央側には、一対のコ字状の切り込みを入れてこれを底部５方向へ折り曲げて形成した２つの突片（支持部）４３，４５が設けられており、図２及び図３に示すように中底３７には、斯様に２つの突片４３，４５を折曲形成したことで２つの平面視矩形状の切欠き４７，４９が開口している。
一方、上記切欠き４７，４９に対応して容器本体１の底部５の中央には、互いに係合可能な止着具（ホックやベルベットファスナ等）５１ａ，５１ｂが両端部に取り付く合成樹脂シートからなるベルト体（移動規制部材）５３の中央部か溶着されており、図３に示すように当該ベルト体５３の両端側５３ａ，５３ｂを、夫々、前記切欠き４７，４９に挿通させて止着具５１ａ，５１ｂを中底３７の上側で止着すると、このベルト体５３によって中底３７の上方への移動が規制されるようになっている。
【００１３】
そして、このとき、図３に示すように前記突片４３，４５がベルト体５３を介して容器本体１の底部５に当接して、中底３７の上に釣り靴５５を置いた際に、中底３７の中央の凹みを防止して釣り靴５５の傾きを防止すると共に、既述した突片３９，４１と共に中底３７と底部５との間の間隙Ｓを確保する支持部として機能するようになっている。
尚、図示しないが釣り靴５５の靴底にはフェルトが貼着され、フェルト内にスパイクが埋め込まれている。
【００１４】
本実施形態に係る靴入れ５７はこのように構成されているから、これを使用するには、先ず、図３に示すように中底３７を容器本体１内に入れ、ベルト体５３の両端側５３ａ，５３ｂを、夫々、切欠き４７，４９に挿通させて止着具５１ａ，５１ｂを中底３７の上側で止着する。これにより、ベルト体５３によって中底３７の上方への移動が規制される。
そして、中底３７上に釣り靴５５を収容して、図１の如く蓋体１７を収納口１５に被せ、ファスナ２９を締めて靴入れ５７を釣場に携行すればよく、このとき、前記突片４３，４５がベルト体５３を介して容器本体１の底部５に当接して、釣り靴５５による中底３７中央の凹みを防止して釣り靴５５の傾きを防止する。
【００１５】
また、釣りを終えた時、釣り靴５５の靴底のフェルトには多量の水分が含まれているが、図３に示すように中底３７上に濡れた釣り靴５５を収容すれば、突片３９，４１，４３，４５によって中底３７と底部５との間に間隙Ｓが確保され、而も、中底３７は通気性があるため、靴底全体が空気に触れて短時間で乾くこととなる。そして、容器本体１は防水性を有するため、底部５に滴り落ちた水が外部に漏れることがなく、安心して濡れた釣り靴５５を携行することができることとなる。
【００１６】
そして、このとき、突片４３，４５がベルト体５３を介して容器本体１の底部５に当接することで、釣り靴５５の重みによる中底３７中央の凹みを防止して釣り靴５５の傾きを防止し、また、長期に亘る使用によっても、突片４３，４５が釣り靴５５の重みによる中底３７中央の凹みを防止することとなる。
このように本実施形態によれば、濡れた釣り靴５５を靴入れ５７に入れたまま乾かすことができると共に、長期に亘って使用しても、釣り靴５５の重みで中底３７中央が凹むことがなく、而も、ベルト体５３によって中底３７の移動が規制されることも相俟って、釣り靴５５を安定して収容することが可能となった。
【００１７】
図４及び図５は請求項１乃至請求項３に係る靴入れの第二実施形態を示し、図中、５９，６１は既述した中底３７に開口する切欠き４７，４９に対応して容器本体１-1の底部５-1に熱プレス成形した突部（移動規制部材）で、両突部５９，６１は上方へ突設されて、その頂部に、切欠き４７，４９に係合して中底３７と面一となる平面視矩形状の係合部６３，６５が形成されると共に、中底３７の裏面側に当接してこれを支持する段部６７，６９とが形成されている。
【００１８】
尚、容器本体１-1は既述した容器本体１と同一材料で形成されている。
そして、斯様に係合部６３，６５を切欠き４７，４９に係合して中底３７の裏面側を段部６７，６９が支持したとき、中底３７に設けた突片３９，４１，４３，４５が、夫々、容器本体１-1の底部５-1に直接当接して、突部５９，６１と共に中底３７と底部５-1との間に間隙Ｓを確保すると共に、係合部６３，６５が切欠き４７，４９に回り止め係合して中底３７の周方向へのがたつきを防止するようになっている。
【００１９】
尚、本実施形態のその他の構成は図１の実施形態と同様であるので、同一のものには同一符号を付してそれらの説明は省略する。
本実施形態に係る靴入れ５７-1はこのように構成されているから、これを使用するには、図５に示すように中底３７を容器本体１内に入れて、切欠き４７，４９に係合部６３，６５を回り止め係合させれば、中底３７の上方への移動と周方向への移動が規制される。
【００２０】
そして、突片３９，４１，４３，４５が容器本体１-1の底部５-1に直接当接して、突部５９，６１と共に中底３７と底部５-1との間に間隙Ｓを確保するため、釣りを終えて図５の如く中底３７上に濡れた釣り靴５５を収容すれば、靴底全体が空気に触れて短時間で乾くこととなる。そして、容器本体１-1は防水性を有するため、底部５-1に滴り落ちた水が外部に漏れることがなく、安心して濡れた釣り靴５５を携行することができることとなる。
【００２１】
而して、このとき、突片４３，４５が容器本体１-1の底部５-1に直接当接し、また、段部６７，６９が中底３７の裏面側に当接してこれを支持することも相俟って、釣り靴５５の重みによる中底３７中央の凹みが長期に亘って防止されることとなる。
従って、本実施形態によっても、濡れた釣り靴５５を靴入れ５７-1に入れたまま乾かすことができると共に、長期に亘る使用によって釣り靴５５の重みで中底３７中央が凹むことがなく、而も、突部５９，６１によって中底３７の移動が規制されることも相俟って、釣り靴５５を安定して収容することが可能となる。
【００２２】
尚、上記第一，第二実施形態では、中底３７を通水性を有する合成樹脂からなる網状（メッシュ状）の板材で形成したが、多数の通水孔を設けた通水性を有する合成樹脂製の板材で形成してもよいし、また、前記突片３９，４１に代えて容器本体の側部や底部に係止部を形成し、中底の周辺部をこれらの係止部で支持して、突片４３，４５と共に中底と容器本体の底部との間に間隙を保持させてもよい。
【図面の簡単な説明】
【００２３】
【図１】請求項１乃至請求項３の第一実施形態に係る靴入れの全体斜視図である。
【図２】図１に示す靴入れの分解斜視図である。
【図３】図１に示す靴入れの断面図である。
【図４】請求項１乃至請求項３の第二実施形態に係る靴入れの分解斜視図である。
【図５】図４に示す靴入れの断面図である。
【符号の説明】
【００２４】
１，１-1  容器本体
３  合成樹脂シート
５，５-1  底部
７，９，１１，１３  側面
１５  収納口
１７  蓋体
２５  フレーム
２９  ファスナ
３７  中底
３９，４１，４３，４５  突片
４７，４９  切欠き
５１ａ，５１ｂ  止着具
５３  ベルト体
５５  釣り靴
５７，５７-1  靴入れ
５９，６１  突部
６３，６５  係合部
６７，６９  段部
【図１】
2007167359.tif 000003
【図２】
2007167359.tif 000004
【図３】
2007167359.tif 000005
【図４】
2007167359.tif 000006
【図５】
2007167359.tif 000007